(57)【要約】【課題】通信装置が行う送信処理のスピードを向上させ得る情報分配装置の提供。【解決手段】接続情報処理部は、被接続体が一の通信回線を通じて広域ネットワークと接続するための処理である第一の接続処理を行う際に、第一の通信プロトコルによる第一の情報を第二の通信プロトコルによる第二の情報に、前記第二の通信プロトコルによる第三の情報を前記第一の通信プロトコルによる第四の情報にする。前記接続部は、前記第一の接続処理の開始以降において、一つ以上の他の通信回線を通じて前記広域ネットワークと接続するための処理である第二の接続処理を行う。前記振り分け処理部は、前記第一の接続処理及び前記第二の接続処理の後に送られる送付情報を、前記一の通信回線及び前記他の通信回線、のうちの二以上の通信回線、のそれぞれに振り分ける。【選択図】      図１
2017200105.tif 000002
【特許請求の範囲】
【請求項１】
被接続体が一の通信回線を通じて広域ネットワークと接続するための処理である第一の接続処理を行う際に、前記被接続体から送られる第一の通信プロトコルによる第一の情報を第二の通信プロトコルによる第二の情報にして前記広域ネットワークに送り、前記広域ネットワークから送られる前記第二の通信プロトコルによる第三の情報を前記第一の通信プロトコルによる第四の情報にして前記被接続体に送る、接続情報処理部と、
前記第一の接続処理の開始以降において、一つ以上の他の通信回線を通じて前記広域ネットワークと接続するための処理である第二の接続処理を行う接続部と、
前記第一の接続処理及び前記第二の接続処理の後に送られる送付情報を、前記一の通信回線及び前記他の通信回線、のうちの二つ以上の通信回線、のそれぞれに振り分ける、振り分け処理部と、
を備える、情報分配装置。
【請求項２】
前記被接続体が、前記第一の接続処理により広域ネットワークと通信を行い得る通信装置である、請求項１に記載された情報分配装置。
【請求項３】
前記第一のプロトコルが、前記第一の接続処理の際に、前記通信装置との間で行われる通信のプロトコルである、請求項２に記載された情報分配装置。
【請求項４】
前記第一のプロトコルが、前記第一の接続処理の際に、前記広域ネットワークとの間で行われる通信のプロトコルである、請求項２又は請求項３に記載された情報分配装置。
【請求項５】
前記送られる情報が、前記通信装置により送られる情報である、請求項２乃至請求項４のうちのいずれか一に記載された情報分配装置。
【請求項６】
前記第二の接続処理が、前記通信装置が前記広域ネットワークに送る接続要求情報を受けて行われる、請求項２乃至請求項５のうちのいずれか一に記載された情報分配装置。
【請求項７】
前記二つ以上の通信回線の少なくとも一つ通信回線が、無線による通信回線を含む通信回線である、請求項１乃至請求項６のうちのいずれか一に記載された情報分配装置。
【請求項８】
前記振り分け処理部が、前記送られる情報を、参照情報により振り分ける、請求項１乃至請求項７のうちのいずれか一に記載された情報分配装置。
【請求項９】
前記通信装置は前記第一の接続処理により第一のアドレスを取得し、前記接続部は前記第二の接続処理により前記情報分配装置についての第二のアドレスを取得する、請求項２乃至請求項８のうちのいずれか一に記載された情報分配装置。
【請求項１０】
前記振り分け処理部が前記他の通信回線のうちの一つに振り分けた前記パケットに対し、送信元のアドレスを、前記第一のアドレスから前記第二のアドレスに変換する処理を行い、前記他の通信回線のうちの前記一つを通じて到着したパケットの送付先のアドレスを、前記第二のアドレスから前記第一のアドレスに変換する処理を行う、アドレス変換部をさらに備える、請求項１乃至請求項９のうちのいずれか一に記載された情報分配装置。
【発明の詳細な説明】
【技術分野】
【０００１】
本発明は、通信装置のネットワークへの接続に関する。
【背景技術】
【０００２】
通信装置がＷＡＮ（Ｗｉｄｅ  Ａｒｅａ  Ｎｅｔｗｏｒｋ（広域ネットワーク））との間で通常の通信を行うためには接続処理を行う。そして、その接続処理の際には、通信装置側の通信回線における通信プロトコルである通信装置側プロトコルによる情報を、ＷＡＮ側の通信回線における通信プロトコルであるＷＡＮ側プロトコルによる情報に変換するプロトコル変換が必要になる。また、当該接続処理の際には、ＷＡＮ側プロトコルによる情報を、通信装置側プロトコルによる情報に変換するプロトコル変換が必要になる。
【０００３】
例えば、特許文献１や特許文献２は、上記プロトコルの変換処理を行うプロトコル処理装置を開示する。
【先行技術文献】
【特許文献】
【０００４】
【特許文献１】特開２００３−２３４７９５号公報
【特許文献２】特開２０１２−２２２５４２号公報
【発明の概要】
【発明が解決しようとする課題】
【０００５】
しかしながら、特許文献１や特許文献２のプロトコル処理装置を利用した場合、通信装置は、一つの通信回線を利用した場合のアドレスしか割り当てられないため、同時には一つの通信回線を介してしかＷＡＮに接続できない。そのため、そもそも、一つの通信回線を通じてしかＷＡＮ側ネットワークに対する通信処理を行うことができない。そのため、同時に複数の通信回線を利用することによる通信処理速度の向上を図れないという課題がある。さらに、その通信回線により十分な通信容量が確保できない場合には、当該通信回線における遅延時間が増加する問題がある。当該問題は、通信回線がモバイル回線のような、遅延時間の増加により情報の再送による更なる遅延時間の増加が生じやすい回線である場合には特に顕著である。
【０００６】
本発明は、通信装置が行う送信処理のスピードを向上させ得る情報分配装置の提供を目的とする。
【課題を解決するための手段】
【０００７】
本発明の情報分配装置は、接続情報処理部と接続部と振り分け処理部とを備える。前記接続情報処理部は、被接続体が一の通信回線を通じて広域ネットワークと接続するための処理である第一の接続処理を行う際に、次の処理を行う。すなわち、前記接続情報処理部は、前記被接続体から送られる第一の通信プロトコルによる第一の情報を第二の通信プロトコルによる第二の情報にして前記広域ネットワークに送る。また、前記接続情報処理部は、前記広域ネットワークから送られる前記第二の通信プロトコルによる第三の情報を前記第一の通信プロトコルによる第四の情報にして前記被接続体に送る。前記接続部は、前記第一の接続処理の開始以降において、一つ以上の他の通信回線を通じて前記広域ネットワークと接続するための処理である第二の接続処理を行う。前記振り分け処理部は、前記第一の接続処理及び前記第二の接続処理の後に送られる送付情報を、前記一の通信回線及び前記他の通信回線、のうちの二つ以上の通信回線、のそれぞれに振り分ける。
【発明の効果】
【０００８】
本発明の情報分配装置は、通信装置が行う送信処理のスピードを向上させ得る。
【図面の簡単な説明】
【０００９】
【図１】第一実施形態の情報分配装置の構成例を表す概念図である。
【図２】接続処理のシーケンスチャート例を表す概念図である。
【図３】ＷＡＮ側ネットワークへのパケット送信動作（その１）を表すイメージ図である。
【図４】ＷＡＮ側ネットワークからのパケット受信動作を表すイメージ図である。
【図５】第二実施形態の情報分配装置の構成例を表す概念図である。
【図６】参照情報の例を表す概念図である。
【図７】ＷＡＮ側ネットワークへのパケット送信動作を表すイメージ図（その２）である。
【図８】第三実施形態の情報分配装置の構成例を表す概念図である。
【図９】ＷＡＮ側ネットワークへのパケット送信動作を表すイメージ図（その３）である。
【図１０】ＷＡＮ側ネットワークからのパケット受信動作を表すイメージ図（その２）である。
【図１１】本発明の情報分配装置の最小限の構成を表す概念図である。
【発明を実施するための形態】
【００１０】
＜第一実施形態＞
第一実施形態は、通信装置であるＣＰＥが送るパケットについて、同時に複数のＷＡＮ側回線を通じてのパケットの送信が可能な、情報分配装置についての実施形態である。ここで、ＣＰＥはＣｕｓｔｏｍｅｒ  Ｐｒｅｍｉｓｅｓ  Ｅｑｕｉｐｍｅｎｔの略である。
［構成と動作］
図１は、第一実施形態の情報分配装置の例である情報分配装置１の構成を表す概念図である。図１には、情報分配装置１を使用したネットワーク構成例も併せて表してある。
【００１１】
情報分配装置１は、ＣＰＥ側ＩＦ部１０１と、接続情報処理部１０２と、ＷＡＮ側回線接続部１０４と、ＷＡＮ側ＩＦ部１０５、１０６と、振り分け処理部１０７と、を備える。ここで、ＩＦは、Ｉｎｔｅｒｆａｃｅの略である。
【００１２】
ＷＡＮ側ネットワーク５は、例えばインターネットである。そして、ＷＡＮ側回線３、４において行われる通信のプロトコルとしてはＰＰＰやＤＨＣＰが想定される。ここで、ＰＰＰは、Ｐｏｉｎｔ−Ｐｏｉｎｔ−Ｐｒｏｔｏｃｏｌの略である。ＰＰＰについては、例えば、特許文献１に説明がある。また、ＤＨＣＰは、Ｄｙｎａｍｉｃ  Ｈｏｓｔ  Ｃｏｎｆｉｇｕｒａｔｉｏｎ  Ｐｒｏｔｏｃｏｌの略である。ＤＨＣＰについては、例えば、特許文献２に説明がある。
【００１３】
ＣＰＥ２は、典型的には、ＰＰＰｏＥクライアント機能やＤＨＣＰクライアント機能を持つアクセスルータや、ＰＰＰｏＥクライアント機能やＤＨＣＰクライアント機能を持つパーソナルコンピュータである。ここで、ＰＰＰｏＥは、Ｐｏｉｎｔ−Ｐｏｉｎｔ−Ｐｒｏｔｏｃｏｌ−ｏｖｅｒ−Ｅｔｈｅｒｎｅｔの略である。ＰＰＰｏＥについては、特許文献１に説明がある。
【００１４】
ＣＰＥ側回線６は、ＬＡＮ（Ｌｏｃａｌ  Ａｒｅａ  Ｎｅｔｗｏｒｋ）を形成する回線であってもよいし、単にＣＰＥ２と情報分配装置１とを接続する通信回線であってもよい。ＣＰＥ側回線６がＬＡＮを形成する回線である場合には、ＬＡＮを形成する回線として、典型的には、Ｅｔｈｅｒｎｅｔ（登録商標）規格の技術が用いられる。
【００１５】
ＣＰＥ側ＩＦ部１０１は、ＣＰＥ側回線６を介して、ＣＰＥ２に接続されている。
【００１６】
ＣＰＥ側ＩＦ部１０１は、ＣＰＥ２がＷＡＮ側回線３を介してのＷＡＮ側ネットワーク５との接続を行う際（「第一接続時」という。）には、以下の処理を行う。
【００１７】
すなわち、ＣＰＥ側ＩＦ部１０１は、ＣＰＥ２からＣＰＥ側回線６を介して送られる情報をそのまま接続情報処理部１０２に送る。また、ＣＰＥ側ＩＦ部１０１は、接続情報処理部１０２から送られる情報をそのままＣＰＥ側回線６を介してＣＰＥ２に送る。
【００１８】
一方、ＣＰＥ２のＷＡＮ側回線３を介しての接続及びＷＡＮ側回線接続部１０４のＷＡＮ側回線４を介しての接続のうちのいずれかの接続が完了した後にＣＰＥ側ＩＦ部１０１が行う処理は次の通りである。
【００１９】
すなわち、ＣＰＥ側ＩＦ部１０１は、ＣＰＥ２からＣＰＥ側回線６を介して送られるパケットをＩＰパケットに変換する。ＣＰＥ２からＣＰＥ側回線６を介して送られるパケットをＩＰパケットに変換する具体例は後述する。そして、ＣＰＥ側ＩＦ部１０１は、ＩＰパケットを、振り分け処理部１０７に送る。ＣＰＥ側ＩＦ部１０１は、接続情報処理部１０２には情報を送らない。
【００２０】
接続情報処理部１０２が第一接続時に行う処理は次の通りである。
【００２１】
すなわち、接続情報処理部１０２は、ＣＰＥ側ＩＦ部１０１から送られるＣＰＥ側プロトコルによる情報を、当該ＣＰＥ側プロトコルによる情報に相当するＷＡＮ側プロトコルによる情報にする。そして、当該ＷＡＮ側プロトコルによる情報を、ＷＡＮ側ＩＦ部１０５に送る。また、接続情報処理部１０２は、ＷＡＮ側ＩＦ部１０５から送られるＷＡＮ側プロトコルによる情報を、当該ＷＡＮ側プロトコルによる情報に相当するＣＰＥ側プロトコルによる情報にする。そして接続情報処理部１０２は、当該ＣＰＥ側プロトコルによる情報を、ＣＰＥ側ＩＦ部１０１に送る。さらに、接続処理部１０２は、第一接続時に、ＷＡＮ側回線接続部１０４に対し、通知を送る。
【００２２】
接続情報処理部１０２に対して、接続処理完了後は、情報は送られない。
【００２３】
ＷＡＮ側回線接続部１０４は、接続情報処理部１０２からの前記通知を受けて、ＷＡＮ側ＩＦ部１０６を及びＷＡＮ側回線４を通じて、ＷＡＮ側ネットワーク５への接続処理を行う。ＷＡＮ側回線接続部１０４が行うＷＡＮ側ネットワーク５への接続処理の例は後述する。
【００２４】
振り分け処理部１０７は、接続処理完了後において、ＣＰＥ２がＣＰＥ側回線６及びＣＰＥ側ＩＦ部１０１を介して送るパケットを、ＷＡＮ側ＩＦ部１０５とＷＡＮ側ＩＦ部１０６とに振り分ける。また、振り分け処理部１０７は、接続処理完了後において、ＷＡＮ側ＩＦ部１０５又はＷＡＮ側ＩＦ部１０６から送られたパケットをＣＰＥ側ＩＦ部１０１に送る。
【００２５】
ＷＡＮ側ＩＦ部１０５は、ＷＡＮ側回線３によりＷＡＮ側ネットワーク５につながっている。
【００２６】
ＷＡＮ側ＩＦ部１０５は、第一接続時には、以下の処理を行う。
【００２７】
すなわち、ＷＡＮ側ＩＦ部１０５は、接続情報処理部１０２から送られた情報を、そのまま、ＷＡＮ側回線３を介して、ＷＡＮ側ネットワーク５に送る。また、ＷＡＮ側ＩＦ部１０５は、ＷＡＮ側ネットワーク５からＷＡＮ側回線３を介して送られた情報を、そのまま、接続情報処理部１０２に送る。第一接続時においては、ＷＡＮ側ＩＦ部１０５は、振り分け処理部１０７から情報を受けない。
【００２８】
一方、ＷＡＮ側ＩＦ部１０５は、ＣＰＥ２がＷＡＮ側回線３を介してのＷＡＮ側ネットワーク５との接続を完了した後は、以下の処理を行う。
【００２９】
すなわち、ＷＡＮ側ＩＦ部１０５は、振り分け処理部１０７から送られたＩＰパケットを送信パケットに変換し、ＷＡＮ側回線３を介して、ＷＡＮ側ネットワーク５に送信する。ＩＰパケットを送信パケットに変換する処理の例は後述する。また、ＷＡＮ側ＩＦ部１０５は、ＷＡＮ側ネットワーク５からＷＡＮ側回線３を介して送られるパケット（被送付パケット）に対し、後述の受信処理を行い、受信パケットにする。そして、ＷＡＮ側ＩＦ部１０５は、受信パケットを振り分け処理部１０７に送る。ＣＰＥ２がＷＡＮ側回線３を介してのＷＡＮ側ネットワーク５との接続を完了した後は、接続情報処理部１０２からＷＡＮ側ＩＦ分１０５へ情報を送られない。
【００３０】
ＷＡＮ側ＩＦ部１０６は、ＷＡＮ側回線４によりＷＡＮ側ネットワーク５につながっている。
【００３１】
ＷＡＮ側ＩＦ部１０６は、ＷＡＮ側回線接続部１０４がＷＡＮ側回線４を介してのＷＡＮ側ネットワーク５との接続を行う際（「第二接続時」という。）には、以下の処理を行う。
【００３２】
すなわち、ＷＡＮ側ＩＦ部１０６は、ＷＡＮ側回線接続部１０４から送られた情報を、そのまま、ＷＡＮ側回線４を介して、ＷＡＮ側ネットワーク５に送る。また、ＷＡＮ側ＩＦ部１０６は、ＷＡＮ側ネットワーク５からＷＡＮ側回線４を介して送られた情報を、そのまま、ＷＡＮ側回線接続部１０４に送る。第一接続時においては、ＷＡＮ側ＩＦ部１０６は、振り分け処理部１０７からは情報が送られない。
【００３３】
一方、ＷＡＮ側ＩＦ部１０６は、ＷＡＮ側回線接続部１０４がＷＡＮ側回線４を介してＷＡＮ側ネットワーク５との接続を完了した後は、以下の処理を行う。
【００３４】
すなわち、ＷＡＮ側ＩＦ部１０６は、振り分け処理部１０７から送られたＩＰパケットを送信パケットに変換し、ＷＡＮ側回線４を介して、ＷＡＮ側ネットワーク５に送信する。ＩＰパケットを送信パケットに変換する処理の例は後述する。また、ＷＡＮ側ＩＦ部１０５は、ＷＡＮ側ネットワーク５からＷＡＮ側回線４を介して送られるパケット（被送付パケット）に対し、後述の受信処理を行い、受信パケットにする。そして、ＷＡＮ側ＩＦ部１０６は、受信パケットを振り分け処理部１０７に送る。ＷＡＮ側回線接続部１０４がＷＡＮ側回線４を介してのＷＡＮ側ネットワーク５との接続を完了した後は、接続情報処理部１０３からＷＡＮ側ＩＦ分１０５へは情報を送られない。
【００３５】
図２は、ＷＡＮ側回線３及び４にＰＰＰを使用した場合の接続処理のシーケンスチャートを表す概念図である。
【００３６】
ＣＰＥ２は、ＷＡＮ側ネットワーク５への通信が必要と判断した場合に、まず、情報分配装置１を介して、ＰＰＰｏＥのセッション接続処理を行う（Ｓ２０１乃至Ｓ２０４）。
【００３７】
最初に、ＣＰＥ２はＳ２０１の処理として、ＣＰＥ側回線６を介して、情報分配装置１に対し、ＰＰＰｏＥ接続要求を送る。当該ＰＰＰｏＥ接続要求はＣＰＥ側プロトコルによる要求である。
【００３８】
次に、図示はしないが、接続情報処理部１０２は、Ｓ２０１の処理によりＣＰＥ２が送ったＰＰＰｏＥ接続要求を、ＷＡＮ側プロトコルによる接続要求である第１ＷＡＮ側回線接続要求にする。第１ＷＡＮ側回線接続要求は、ＷＡＮ側回線３を経由してのＷＡＮ側ネットワーク５への接続を要求する情報である。
【００３９】
そして、接続情報処理部１０２は、Ｓ２０２の処理として、ＷＡＮ側ＩＦ部１０５及びＷＡＮ側回線３を介して、ＷＡＮ側ネットワーク５（の管理装置）に第１ＷＡＮ側回線接続要求を送る。
【００４０】
接続情報処理部１０２は、また、Ｓ２０１ａの処理として、ＷＡＮ側回線接続部１０４に対し、通知を行う。
【００４１】
ここで、ＷＡＮ側ネットワーク５（の管理装置）が、Ｓ２０２の処理で送られた第１ＷＡＮ側回線接続要求を認めたとする。すると、ＷＡＮ側ネットワーク５（の管理装置）は、Ｓ２０３の処理として、接続情報処理部１０２に対し、ＷＡＮ側回線３及びＷＡＮ側ＩＦ部１０５を介して、第１ＷＡＮ側回線接続完了通知を送る。第１ＷＡＮ側回線接続完了通知はＷＡＮ側プロトコルによる情報である。
【００４２】
そして、図示はしないが、接続情報処理部１０２は、Ｓ２０３の処理により送られた、ＷＡＮ側プロトコルによる第１ＷＡＮ側回線接続完了通知を、ＣＰＥ側プロトコルによる完了通知であるＰＰＰｏＥ接続完了通知にする。
【００４３】
そして、接続情報処理部１０２は、Ｓ２０４の処理として、ＣＰＥ側ＩＦ部１０１及びＣＰＥ側回線６を介して、ＣＰＥ２に対しＰＰＰｏＥ接続完了通知を送る。
【００４４】
ＰＰＰｏＥ接続完了通知をＣＰＥ２が受け取ることにより、ＣＰＥ２による、情報分配装置１を介しての、ＷＡＮ側回線３を通じてのＷＡＮ側ネットワーク５との、セッション接続処理が完了する。
【００４５】
次に、ＣＰＥ２は、情報分配装置１を介して、ＷＡＮ側ネットワーク５（の管理装置）との間で、ＬＣＰ処理を行う（Ｓ２０５乃至Ｓ２０８）。ここで、ＬＣＰは、ＰＰＰにおけるＬｉｎｋ  Ｃｏｎｔｒｏｌ  Ｐｒｏｔｏｃｏｌである。ＬＣＰについては、特許文献１において説明されている。
【００４６】
まず、ＣＰＥ２は、Ｓ２０５の処理として、ＣＰＥ側回線６及びＣＰＥ側ＩＦ部１０１を介して、接続情報処理部１０２に対し、ＣＰＥ側プロトコルによる情報であるＬＣＰ要求を送る。
【００４７】
そして、接続情報処理部１０２は、図示はしないが、Ｓ２０５の処理によりＣＰＥ２が送ったＬＣＰ要求をＷＡＮ側プロトコルによる第１ＷＡＮ側回線ＬＣＰ要求にする。
【００４８】
そして、接続情報処理部１０２は、Ｓ２０６の処理として、ＷＡＮ側ＩＦ部１０５及びＷＡＮ側回線３を通じて、ＷＡＮ側ネットワーク５（の管理装置）に対し、第１ＷＡＮ側回線ＬＣＰ要求を送る。
【００４９】
Ｓ２０６の処理により送った第１ＷＡＮ側回線ＬＣＰ要求がＷＡＮ側ネットワーク５（の管理装置）により認められたとする。すると、ＷＡＮ側ネットワーク５（の管理装置）は、Ｓ２０７の処理として、ＷＡＮ側回線３及びＷＡＮ側ＩＦ部１０５を介して、接続情報処理部１０２に対し、第１ＷＡＮ側ＬＣＰ完了通知を送る。第１ＷＡＮ側ＬＣＰ完了通知はＷＡＮ側プロトコルによる情報である。
【００５０】
そして、図示はしないが、接続情報処理部１０２は、ＷＡＮ側プロトコルによる第１ＷＡＮ側ＬＣＰ完了通知を、ＣＰＥ側プロトコルによるＬＣＰ完了通知にする。
【００５１】
そして、接続情報処理部１０２は、Ｓ２０８の処理として、ＣＰＥ側ＩＦ部１０１及びＣＰＥ側回線６を介して、ＣＰＥ２に、ＣＰＥ側プロトコルによるＬＣＰ完了通知を送る。
【００５２】
以上により、ＣＰＥ２による、情報分配装置１を介しての、ＷＡＮ側回線３を通じての、ＷＡＮ側ネットワーク５との間のＬＣＰ処理が完了する。
【００５３】
次に、ＣＰＥ２は、情報分配装置１を介して、ＷＡＮ側ネットワーク５（の管理装置）との間で、ＩＰアドレスを取得する処理を行う。ここで、ＩＰは、Ｉｎｔｅｒｎｅｔ  Ｐｒｏｔｏｃｏｌ（インターネットプロトコル）の略である。アドレス取得処理は、ＰＰＰのＮＣＰ（Ｎｅｔｗｏｒｋ  Ｃｏｎｔｒｏｌ  Ｐｒｏｔｏｃｏｌ）を使用して行われる。
【００５４】
ＣＰＥ２は、まず、Ｓ２０９の処理として、ＣＰＥ側回線６及びＣＰＥ側ＩＦ部１０１を介して、ＷＡＮ側回線３についてＩＰアドレスを要求するアドレス要求を接続情報処理部１０２に送る。
【００５５】
そして、接続情報処理部１０２は、Ｓ２１０の処理として、ＷＡＮ側ＩＦ部１０５及びＷＡＮ側回線３を介して、ＷＡＮ側ネットワーク５（の管理装置）に対し、ＷＡＮ側回線３についてのＩＰアドレスの要求である第１ＷＡＮ側回線アドレス要求を送る。
【００５６】
ＷＡＮ側ネットワーク５が、Ｓ２１０の処理により送られた第１ＷＡＮ側回線アドレス要求を認めたとする。すると、ＷＡＮ側ネットワーク５は、Ｓ２１１の処理として、ＷＡＮ側回線３及びＷＡＮ側ＩＦ部１０５を介して、接続情報処理部１０２に対し、第１ＷＡＮ側回線アドレス通知を送る。第１ＷＡＮ側回線アドレス通知は、ＷＡＮ側回線３についてのＩＰアドレスの通知である。
【００５７】
そして、接続情報処理部１０２は、Ｓ２１１の処理により送られた第１ＷＡＮ側回線アドレス通知を、ＣＰＥ側ＩＦ部１０１及びＣＰＥ側回線６を介して、ＣＰＥ２に送る。
【００５８】
ＣＰＥ２が、このアドレス通知を受け取ることにより、ＣＰＥ２による、情報分配装置１を介しての、ＷＡＮ側回線３を通じての、ＷＡＮ側ネットワーク５との接続が完了する。
【００５９】
前述のように、接続情報処理部１０２は、Ｓ２０１ａの処理により、ＷＡＮ側回線接続部１０４に対し、通知を送っている。当該通知を受けたＷＡＮ側回線接続部１０４は、以下に説明する処理を行う。以下に説明する処理は、ＷＡＮ側回線接続部１０４が、ＣＰＥの動作とは独立して行う、ＷＡＮ側回線４を介しての、ＷＡＮ側ネットワーク５との接続処理である。ＷＡＮ側回線接続部１０４は、当該接続処理を、前記通知後、すぐに行ってもよいし、時間が経過してから行ってもよい。
【００６０】
Ｓ２０１ａの処理の後に、ＷＡＮ側回線接続部１０４は、Ｓ２０２ａの処理として、ＷＡＮ側ＩＦ部１０６とＷＡＮ側回線４とを介して、ＷＡＮ側ネットワーク５（の管理装置）に対し、第２ＷＡＮ側回線接続要求を送る。第２ＷＡＮ側回線接続要求は、ＷＡＮ側回線４を通じての、ＷＡＮ側ネットワーク５への接続要求である。
【００６１】
ＷＡＮ側ネットワーク５（の管理装置）が、Ｓ２０２ａの処理により送られた第２ＷＡＮ側回線接続要求を認めたとする。すると、ＷＡＮ側ネットワーク５（の管理装置）は、Ｓ２０３ａの処理として、第２ＷＡＮ側回線接続完了通知を、ＷＡＮ側回線４とＷＡＮ側ＩＦ部とを介して、ＷＡＮ側回線接続部１０４に対し送る。
【００６２】
次に、ＷＡＮ側回線接続部１０４は、Ｓ２０６ａの処理として、ＷＡＮ側ＩＦ部１０６とＷＡＮ側回線４とを介して、ＷＡＮ側ネットワーク５（の管理装置）に対し、第２ＷＡＮ側回線ＬＣＰ要求を送る。
【００６３】
ＷＡＮ側ネットワーク５（の管理装置）が、Ｓ２０６ａの処理により送られた第２ＷＡＮ側回線ＬＣＰ要求を認めたとする。すると、ＷＡＮ側ネットワーク５（の管理装置）は、Ｓ２０７ａの処理として、ＷＡＮ側回線接続部１０４に対し、第２ＷＡＮ側回線ＬＣＰ完了通知を送る。
【００６４】
次に、ＷＡＮ側回線接続部１０４は、Ｓ２１０ａの処理として、ＷＡＮ側ＩＦ部１０６とＷＡＮ側回線４とを介して、ＷＡＮ側ネットワーク（の管理装置）に対し、第２ＷＡＮ側回線アドレス要求を送る。第２ＷＡＮ側回線アドレス要求は、ＷＡＮ側回線４を通じてのＷＡＮ側ネットワーク５との通信の際に用いられるＩＰアドレスのアドレス要求である。
【００６５】
そして、ＷＡＮ側ネットワーク５（の管理装置）が、Ｓ２１０ａの処理により送られた第２ＷＡＮ側回線アドレス要求を認めたとする。すると、ＷＡＮ側ネットワーク５（の管理装置）は、Ｓ２１１ａの処理として、ＷＡＮ側ＩＦ部１０６とＷＡＮ側回線４とを介して、ＷＡＮ側回線接続部１０４に対し、第２ＷＡＮ側回線アドレス通知を送る。ここで、第２ＷＡＮ側回線アドレス通知は、ＷＡＮ側回線４を通じてのＷＡＮ側ネットワーク５との通信の際に用いられるＩＰアドレスの通知である。ＷＡＮ側回線接続部１０４は、Ｓ２１１ａの処理により送られたＩＰアドレスを、ＷＡＮ側回線接続部１０４のＩＰアドレスとして保持する。
【００６６】
ＷＡＮ側回線接続部１０４が、ＷＡＮ側ネットワーク５（の管理装置）から、第２ＷＡＮ側回線アドレス通知を受けとることにより、ＷＡＮ側回線接続部１０４とＷＡＮ側ネットワーク５との間の、ＷＡＮ側回線４を通じての接続が完了する。
【００６７】
以上により、ＣＰＥ２とＷＡＮ側ネットワーク５との間のＷＡＮ側回線３を介しての接続と、ＷＡＮ側回線接続部１０４とＷＡＮ側ネットワーク５との間のＷＡＮ側回線４を介しての接続が完了した状態になる。
【００６８】
これにより、ＷＡＮ側ＩＦ部１０５とＷＡＮ側ネットワーク５とのＷＡＮ側回線３を通じての接続と、ＷＡＮ側ＩＦ部１０６とＷＡＮ側ネットワーク５とのＷＡＮ側回線４を通じての接続と、の両方の接続が確保されたことになる。
【００６９】
次に、接続処理後において、ＣＰＥ２が情報分配装置１を介してＷＡＮ側ネットワーク５との間で行う通信動作、について説明する。
【００７０】
図３は、ＣＰＥ２が情報分配装置１を介して行う、ＷＡＮ側ネットワーク５へのパケット送信動作、を表すイメージ図である。
【００７１】
図３は、ＣＰＥ２が、第１パケット乃至第Ｎ＋１パケット（Ｎは奇数）からなるパケット群３０１の各パケットを、ＷＡＮ側ネットワーク５へ送信する場合、を想定している。
【００７２】
なお、以下の説明において、各パケット、各ＩＰパケット、各送信パケット、各被送付パケット及び各受信パケットの先頭につけられた「第」と数字との組み合わせからなる記述は、単なる識別のための記述である。当該記述は、特に説明がない限り、送付の順番や受け取る順番を表さない。
【００７３】
ＣＰＥ２は、ＣＰＥ側回線６を介して、ＣＰＥ側ＩＦ部１０１に対し、パケット群３０１の各パケットを送る。
【００７４】
ＣＰＥ側ＩＦ部１０１は、ＣＰＥ側回線６を介してＣＰＥ２から送られたパケット群３０１の各パケットについて、ＰＰＰｏＥ及びＰＰＰのカプセルを解除し、ＩＰパケット群３０１ａの各ＩＰパケットにする。ＣＰＥ側ＩＦ部１０１は、ＩＰパケット群３０１ａの各ＩＰパケットを、振り分け処理部１０７に送る。
【００７５】
振り分け処理部１０７は、ＩＰパケット群３０１ａの各ＩＰパケットのうち、奇数の番号が付けられたＩＰパケット（ＩＰパケット群３０１ａａのＩＰパケット）をＷＡＮ側ＩＦ部１０５に送る。また、振り分け処理部１０７は、ＩＰパケット群３０１ａの各ＩＰパケットのうち、偶数の番号が付けられたＩＰパケット（ＩＰパケット群３０１ａｂのＩＰパケット）をＷＡＮ側ＩＦ部１０６に送る。
【００７６】
ＷＡＮ側ＩＦ部１０５は、振り分け処理部１０７から送られた、ＩＰパケット群３０１ａａの各ＩＰパケットに対し、ＰＰＰのカプセル化を行い、送信パケット群３０１ｂａの各送信パケットとする。そして、ＷＡＮ側ＩＦ部１０５は、送信パケット群３０１ｂａの各送信パケットを、ＷＡＮ側回線３を介して、ＷＡＮ側ネットワーク５に送る。
【００７７】
ＷＡＮ側ＩＦ部１０６は、振り分け処理部１０７から送られた、ＩＰパケット群３０１ａｂの各ＩＰパケットに対し、ＰＰＰのカプセル化を行い、送信パケット群３０１ｂｂの各送信パケットとする。そして、ＷＡＮ側ＩＦ部１０６は、送信パケット群３０１ｂｂの各送信パケットを、ＷＡＮ側回線４を介して、ＷＡＮ側ネットワーク５に送る。
【００７８】
以上により、パケット群３０１の各パケットは、ＷＡＮ側回線３及びＷＡＮ側回線４に、均等に送信されたことになる。
【００７９】
図４は、接続処理後に、ＣＰＥ２が情報分配装置１を介して行う、ＷＡＮ側ネットワーク５からのパケット受信動作、を表すイメージ図である。
【００８０】
図４は、被送付パケット群６０１ｂａの第１乃至第３及び第５の４つの被送付パケットが、ＷＡＮ側ネットワーク５からＷＡＮ側回線３を通じてＷＡＮ側ＩＦ部１０５に送付された場合を表す。図４は、上記に併せて、被送付パケット群６０１ｂｂの第４被送付パケットが、ＷＡＮ側ネットワーク５からＷＡＮ側回線４を通じてＷＡＮ側ＩＦ部１０６に送付された場合を表す。
【００８１】
ＷＡＮ側ＩＦ部１０５に送られた被送付パケット群６０１ｂａの各被送付パケットは、ＷＡＮ側ＩＦ部１０５において受信され、ＰＰＰのカプセルが解除された、受信パケット群６０１ａａの各受信パケットになる。受信パケット群６０１ａａの各受信パケットは、振り分け処理部１０７を経由して、ＣＰＥ側ＩＦ部１０１に送られる。
【００８２】
ＷＡＮ側ＩＦ部１０６に送られた被送付パケット群６０１ｂｂの第４被送付パケットは、ＷＡＮ側ＩＦ部１０６において受信され、ＰＰＰのカプセルが解除された、受信パケット群６０１ａｂの第４受信パケットになる。第４受信パケットは、振り分け処理部１０７を経由して、ＣＰＥ側ＩＦ部１０１に送られる。
【００８３】
ＣＰＥ側ＩＦ部１０１は、振り分け処理部１０７経由で送られた受信パケット群６０１ａの各受信パケットに対し、ＰＰＰｏＥ及びＰＰＰのカプセル化を行ない、パケット群６０１の各パケットにする。そして、ＣＰＥ側ＩＦ部１０１は、パケット群６０１の各パケットを、ＣＰＥ側回線６を介して、ＣＰＥ２に送る。
【００８４】
図４において、受信パケットは、通常は、ＷＡＮ側ＩＦ部１０６ではなくＷＡＮ側ＩＦ部１０５で受信される。図３に表す、送信パケット群３０１ｂａの各送信パケットも、送信パケット群３０１ｂｂの各送信パケットも、送信元ＩＰアドレスは、ＣＰＥ２がＷＡＮ側回線３経由で取得し保持するＩＰアドレスである。そのため、各送信パケットに対する応答パケット（被送付パケット）の送付先ＩＰアドレスは、ＣＰＥ２が保持するＷＡＮ側回線３を利用するＩＰアドレスになるからである。
【００８５】
しかしながら、被送付パケットの送付元が、被送付パケットを、ＷＡＮ側回線接続部１０４がＷＡＮ側回線４を通じて取得し保持するＩＰアドレス宛に送った場合は、当該被送付パケットは、ＷＡＮ側ＩＦ部１０６で受信され、受信パケットになる。そして、ＷＡＮ側ＩＦ部１０６は、当該受信パケットをＷＡＮ側回線接続部１０４に送る。その場合は、ＷＡＮ側回線接続部１０４は、送られた受信パケットを、ＣＰＥ２に転送する。当該転送は、ＷＡＮ側ＩＦ部１０６、ＷＡＮ側回線４、ＷＡＮ側ネットワーク５、ＷＡＮ側回線３、ＷＡＮ側ＩＦ部１０５、振り分け処理部１０７、ＣＰＥ側ＩＦ部１０１及びＣＰＥ側回線６を、この順に経由して行われる。
【００８６】
以上においては、ＣＰＥ２が送るパケットを情報分配装置１が送信する際に、パケットを２つのＷＡＮ側回線に交互に割り振る場合を例に説明した。その場合は、パケットは２つのＷＡＮ側回線に略均等に割り振られる。しかしながら、情報分配装置がＷＡＮ側回線に割り振るパケットの割合は、略均等でなくても構わない。
【００８７】
また、以上においては、ＷＡＮ側回線の数が２本の場合を例に説明したが、ＷＡＮ側回線の数３本以上でも構わない。その場合は、ＷＡＮ側回線の数の増加に合わせて、ＷＡＮ側回線接続部の数を増やせばよい。
【００８８】
また、３本以上のＷＡＮ側回線との間で接続処理が行われた場合において、情報分配装置は、接続処理が行われたすべてのＷＡＮ側回線にパケットを振り分けなくてもよい。その場合は、情報分配装置は、接続処理が行われた３本以上のＷＡＮ側回線のうちの、２本以上のＷＡＮ側回線に、パケットを振り分ける。その場合において、情報分配装置は、ＣＰＥが情報分配装置を介して接続処理を行ったＷＡＮ側回線にパケットを振り分けなくてもよい。
【００８９】
また、以上においては、ＷＡＮ側回線における通信がＰＰＰによる場合を例に説明したが、ＷＡＮ側回線における通信はＤＨＣＰ等の他のプロトコルによっても構わない。ＤＨＣＰによる場合はＷＡＮ側回線を通じての送受信の際のパケットのカプセル化及びカプセル解除の処理をＤＨＣＰによる処理とする。
【００９０】
また、以上においては、ＣＰＥ側プロトコルにＰＰＰｏＥを用いる例を説明したが、ＣＰＥ側プロトコルはＤＨＣＰ等の他のプロトコルでも構わない。ＣＰＥ側プロトコルにＤＨＣＰを用いる場合は、ＣＰＥ側ＩＦ部１０１におけるＣＰＥ側送受信処理をＤＨＣＰに基づいて行う。
【００９１】
情報分配装置１は、接続されたＣＰＥ２が、ＷＡＮ側回線３及びＷＡＮ側回線４のそれぞれに対して同時にパケットを送信することを可能にする。そのため、情報分配装置１は、ＣＰＥ２が行う送信処理のスピードを向上させることができる。
【００９２】
その理由は、一つには、情報分配装置１が、二つのＷＡＮ側回線を同時に送信に利用するためである。ＷＡＮ側回線におけるパケットの送信速度が一定であれば、二つのＷＡＮ側回線にパケットを振り分けた場合の送信処理速度はほぼ二倍になる。この効果は、ＷＡＮ側回線がモバイル回線のように通信速度の遅い回線である場合に顕著である。利用者は、通信速度が遅い場合の方が、送信速度の向上をより顕著に実感できるからである。
【００９３】
その理由は、二つには、情報分配装置１が、パケット送信時にＷＡＮ側回線において発生する遅延時間の増加を抑えることができるためである。遅延時間の増加を抑えることができるのは、情報分配装置１が、複数のＷＡＮ側回線にパケットを分けて送信することにより、各ＷＡＮ側配線の負荷を低減できるためである。この効果もモバイル回線の場合に顕著である。モバイル回線の場合には、遅延時間がある程度大きくなるとパケットの再送によりさらに遅延時間が大きくなる場合がある。情報分配装置１は、ＷＡＮ側回線の負荷を低減することにより、パケットの再送による遅延時間の大幅な増加を抑えられる確率を向上させられる。
［効果］
第一実施形態の情報分配装置は、接続された通信装置（ＣＰＥ）が、複数のＷＡＮ側回線のそれぞれに対して同時にパケットを送信することを可能にする。そのため、第一実施形態の情報分配装置は、通信装置（ＣＰＥ）が行う送信処理のスピードを向上させることができる。
【００９４】
その理由は、一つには、第一実施形態の情報分配装置が、二つのＷＡＮ側回線を同時に送信に利用するためである。ＷＡＮ側回線におけるパケットの送信速度が一定であれば、複数のＷＡＮ側回線にパケットを振り分けた場合の送信処理速度はほぼ当該複数倍になる。この効果は、ＷＡＮ側回線がモバイル回線のように通信速度の遅い回線である場合に顕著である。利用者は、通信速度が遅い場合の方が、送信速度の向上をより顕著に実感できるからである。
【００９５】
その理由は、二つには、第一実施形態の情報分配装置が、パケット送信時にＷＡＮ側回線において発生する遅延時間の増加を抑えることができるためである。遅延時間の増加を抑えることができるのは、第一実施形態の情報分配装置が、複数のＷＡＮ側回線にパケットを分けて送信することにより、各ＷＡＮ側配線の負荷を低減できるためである。この効果もモバイル回線の場合に顕著である。モバイル回線の場合には、遅延時間がある程度大きくなるとパケットの再送によりさらに遅延時間が大きくなる場合がある。第一実施形態の情報分配装置は、ＷＡＮ側回線の負荷を低減することにより、パケットの再送による遅延時間の大幅な増加を抑えられる確率を向上させられる。
＜第二実施形態＞
第二実施形態は、接続処理後において、参照情報の内容に従い送信パケットを複数の回線に振り分ける情報分配装置に関する実施形態である。
【００９６】
［構成］
図５は、第二実施形態の情報分配装置の例である情報分配装置１ａの構成を表す概念図である。
【００９７】
情報分配装置１ａは、図１に表す情報分配装置１に、振り分け処理部１０７と接続された参照情報保持部１０８を加えたものである。情報分配装置１ａについての上記及び下記以外の説明は、図１に表す情報分配装置１の説明と同じである。以下には、情報分配装置１と異なる点を説明する。ただし、以下の説明と図１に表す情報分配装置１についての前述の説明とが矛盾する場合は、以下の説明が優先される。
【００９８】
振り分け処理部１０７は、送られたパケットの振り分け先をＷＡＮ側ＩＦ部１０５（ＷＡＮ側回線３）及びＷＡＮ側ＩＦ部１０６（ＷＡＮ側回線４）のいずれにするかを、参照情報保持部１０８が保持する参照情報により決定する。
【００９９】
図６は、参照情報の例である参照情報５０１のさらに例を表す概念図である。
【０１００】
参照情報５０１は、プロトコル種別、宛先ＩＰアドレス、宛先ポート番号、ＷＡＮ側ＩＦ部種別、及び、エントリ保持時間、の組、の集合である。以下において、これらの組、又は、これらの組のうちの少なくともプロトコル種別、宛先ＩＰアドレス及び宛先ポート番号を含む一部を、「エントリ」ということにする。また、上記プロトコルは、ＴＣＰ（Ｔｒａｎｓｍｉｓｓｉｏｎ  Ｃｏｎｔｒｏｌ  Ｐｒｏｔｏｃｏｌ）やＵＤＰ（Ｕｓｅｒ  Ｄａｔａｇｒａｍ  Ｐｒｏｔｏｃｏｌ）などのＩＰプロトコルのさらに上位のプロトコルである。また、宛先ＩＰアドレスは、送信パケットの送信先のＩＰアドレスである。宛先ポート番号はＴＣＰやＵＤＰで使用する宛先ポート番号である。また、ＷＡＮ側ＩＦ部種別は、図５に表すＷＡＮ側ＩＦ部１０５とＷＡＮ側ＩＦ部１０６の別である。また、エントリ保持時間は、参照情報５０１に当該エントリ保持時間と組まれたエントリを保持する時間である。図６に表すエントリ保持時間の単位は秒である。後述のように、経過時間がエントリ保持時間を超えた場合に、当該エントリ保持時間と組まれたエントリは参照情報５０１から削除される。
【０１０１】
情報分配装置１ａは、情報分配装置１ａの最初の稼働の直後には、上記項目に対応するエントリが記録されていない空の参照情報５０１を保持する。
【０１０２】
振り分け処理部１０７は、ＷＡＮ側ＩＦ部１０５又はＷＡＮ側ＩＦ部１０６にＩＰパケットを送付する際に、参照情報５０１に、当該ＩＰパケットが保有するエントリと同じエントリが存在するかを判定する。当該エントリは、プロトコル種別、宛先ＩＰアドレス及び宛先ポート番号からなるエントリである。
【０１０３】
振り分け処理部１０７は、参照情報５０１に、同じエントリが存在すると判定した場合には、当該ＩＰパケットを、参照情報５０１の、ＷＡＮ側ＩＦ部種別の項のＷＡＮ側ＩＦ部に振り分ける。
【０１０４】
一方、振り分け処理部１０７は、参照情報５０１に、同じエントリが存在すると判定しなかった場合は、当該ＩＰパケットを、一つ前に振り分けたＷＡＮ側ＩＦ部ではない方のＷＡＮ側ＩＦ部に振り分ける。振り分け処理部１０７は、その際に、参照情報５０１に、プロトコル種別、宛先ＩＰアドレス、宛先ポート番号及びＷＡＮ側ＩＦ部種別のエントリを新規に登録する。振り分け処理部１０７は、さらに、当該エントリを参照情報５０１に保持する時間であるエントリ保持時間を決定し、登録する。
【０１０５】
そして、参照情報保持部１０８は、当該エントリについてエントリ保持時間の決定からの経過時間を測定する。そして、参照情報保持部１０８は、経過時間がエントリ保持時間を超えた時に、そのエントリ保持時間に係るエントリを、参照情報５０１から削除する。
【０１０６】
エントリ保持時間はプロトコル種別により変えても良い。例えば、プロトコル種別がＴＣＰの場合は１８０秒とし、プロトコル種別がＵＤＰの場合は３０秒とする、などである。
【０１０７】
参照情報保持部１０８は、経過時間を、ＷＡＮ側ＩＦ部が当該ＩＰパケットに対応する送信パケットを送信するたび（又は、振り分け処理部１０７が、エントリに合致したパケットをＷＡＮ側ＩＦ部に送付するたび）にゼロにする。そして、参照情報保持部１０８は、その時点から再度、同じエントリについての経過時間を測定する。参照情報保持部１０８は、保持するすべてのエントリについて経過時間の測定、経過時間がエントリ保持時間を超えたかの判定、及び、超えた場合の当該エントリの削除を行う。
【０１０８】
情報分配装置１ａは、所定の時間内に参照情報５０１のエントリに合致するパケットをＣＰＥ２から受けた場合には、当該パケットは、ＷＡＮ側ネットワーク５へ送信される。当該送信は、当該エントリのＷＡＮ側ＩＦ部種別の項のＷＡＮ側ＩＦ部から対応するＷＡＮ側回線を通じての送信である。また、当該所定の時間は、ある送信パケットがＷＡＮ側ネットワーク５に送信された時刻から、当該パケットが保持するエントリと同じ、参照情報５０１のエントリ、のエントリ保持時間が経過するまでの時間である。
【０１０９】
次に、図６に表す参照情報５０１を利用した場合の情報分配装置１ａの送信動作の具体例を図７を参照しながら説明する。
【０１１０】
図７は、ＣＰＥ２が情報分配装置１ａを介して行う、ＷＡＮ側ネットワーク５へのパケット送信動作を表すイメージ図である。
【０１１１】
ＣＰＥ２は、図７に表す、パケット群４０１の各パケットとパケット群４０２の各パケットとを情報分配装置１ａのＣＰＥ側ＩＦ部１０１に送付したとする。ここで、パケット群４０１の各パケットは、宛先ＩＰアドレスが１００．１００．１００．１であり宛先ポート番号が８０のＴＣＰパケットであるとする。また、パケット群４０２の各パケットは、宛先ＩＰアドレスが２００．２００．２００．１であり宛先ポート番号が１００のＵＤＰパケットであるとする。
【０１１２】
パケット群４０１及び４０２の各パケットは、ＣＰＥ側ＩＦ部１０１により、ＩＰパケット群４０１ａ及び４０２ａの各ＩＰパケットにされ、振り分け処理部１０７に送られる。
【０１１３】
振り分け処理部１０７は、送られたＩＰパケット群４０１ａのうち最初に到着した第１ＩＰパケットである第１ＩＰパケットから、第１ＩＰパケットが保持するエントリを取得する。当該エントリ（「第一エントリ」ということにする。）は、プロトコル種別がＴＣＰ、宛先ＩＰアドレスが１００．１００．１００．１、宛先ポート番号が８０からなるエントリである。
【０１１４】
そして、振り分け処理部１０７は、第一エントリが、参照情報５０１にあるかを判定する。
【０１１５】
ここで、前述のように参照情報５０１は初期状態では空であり、第一エントリは参照情報５０１にはない。
【０１１６】
そのため、振り分け処理部１０７は、第１ＩＰパケットを、例えば、ＷＡＮ側ＩＦ部１０５に送る。そして、振り分け処理部１０７は、参照情報５０１に、第一エントリにＷＡＮ側ＩＦ部がＷＡＮ側ＩＦ部１０５、エントリ保持時間が６０を組み合わせたエントリ（「第一ａエントリ」ということにする。）を登録する。そして、振り分け処理部１０７は、第一ａエントリについて、経過時間の計測及び経過時間がエントリ保持時間を超えたかについての判定を開始する。
【０１１７】
ＷＡＮ側ＩＦ部１０５は、送られた第１ＩＰパケットを、第１送信パケットとして、ＷＡＮ側回線３を通じて、ＷＡＮ側ネットワーク５に送信する。
【０１１８】
そして、第一ａエントリについての経過時間の計測（或いはリセットによる再計測）を始めてから、エントリ保持時間６０が経過する前に、ＩＰパケット群４０１ａの第２ＩＰパケット及び第３ＩＰパケットが振り分け処理部１０７に到着したとする。
【０１１９】
その場合、第２及び第３ＩＰパケットが保持する第一エントリは、参照情報５０１にある。そのため、振り分け処理部１０７は、第２及び第３ＩＰパケットを、ＷＡＮ側ＩＦ部１０５に振り分ける。そして、振り分け処理部１０７は、ＩＰパケットをＷＡＮ側ＩＦ部１０５に送るたびに、第一ａエントリに関する経過時間をゼロにし、第１ａエントリに関する経過時間の再計測及び計測された経過時間がエントリ保持時間を超えたかの判定を行う。
【０１２０】
一方、第３ＩＰパケットの振り分け処理部１０７への到着に続いて、ＩＰパケット群４０２ａの第４ＩＰパケットが振り分け処理部１０７に到着したとする。そして、第４ＩＰパケットが保持するエントリ（「第二エントリ」ということにする。）と同じエントリが参照情報５０１にないとする。第二エントリは、、プロトコル種別がＵＤＰ、宛先ＩＰアドレスが２００．２００．２００．１、宛先ポート番号が１００のエントリである。
【０１２１】
その場合、振り分け処理部１０７は、一つ前に到着した第３ＩＰパケットをＷＡＮ側ＩＦ部１０５に振り分けたので、今回到着した第４ＩＰパケットを、ＷＡＮ側ＩＦ部１０５に振り分ける。そして、振り分け処理部１０７は、第二エントリにＷＡＮ側ＩＦ部がＷＡＮ側ＩＦ部１０６及びエントリ保持時間が５０を結びつけたエントリ（「第二ａエントリ」ということにする。）を、参照情報５０１に登録する。そして、振り分け処理部１０７は、第二ａエントリについて経過時間の計測及び計測された経過時間が第二ａエントリのエントリ保持時間を超えたかの判定を行う。振り分け処理部１０７は、ＩＰパケットを、ＷＡＮ側ＩＦ部１０５及び１０６のいずれかに送るたびに、経過時間をゼロにリセットして経過時間の再計測及び計測された経過時間がエントリ保持時間を超えたかの判定を行う。
【０１２２】
そして、第二ａエントリについての経過時間の計測（又は再計測）を始めてから、エントリ保持時間５０秒が経過する前に、ＩＰパケット群４０１ａの第５、第６ＩＰパケットが振り分け処理部１０７に到着したとする。その場合、第５、第６ＩＰパケットが保持する第二エントリは、参照情報５０１にある。そのため、振り分け処理部１０７は、第５、第６ＩＰパケットを、ＷＡＮ側ＩＦ部１０６に振り分ける。そして、振り分け処理部１０７は、ＩＰパケットをＷＡＮ側ＩＦ部１０５に送るたびに、第二ａエントリについての経過時間をゼロにし経過時間の再計測及び計測された経過時間がエントリ保持時間を超えたかの判定を行う。
【０１２３】
その後、振り分け処理部１０７が、直近に到着したＩＰパケットを振り分けてから、５１秒間何らのＩＰパケットも振り分け処理部１０７に到着しなかったとする。すると、振り分け処理部１０７は、第二ａエントリについて、エントリ保持時間を経過時間が上回ったことを判定する。そして、参照情報保持部１０８は、第二ａエントリを、参照情報５０１から削除する。
【０１２４】
その後に、第二エントリを保持する第７パケット（図７には表さず）が振り分け処理部１０７に到着したとする。すると、振り分け処理部１０７は、第７パケットが保持する上記エントリが、参照情報５０１に無いので、第７パケットを一つ前のパケットを振り分けたＷＡＮ側ＩＦとは異なるＷＡＮ側ＩＦ部に振り分ける。そして、振り分け処理部１０７は、第二ａエントリを、参照情報５０１に登録する。当該エントリは、振り分け処理部１０７が以前に登録し一度削除した第二ａエントリと同じ内容である。
【０１２５】
なお、図６に表す参照情報５０１の例は、同図に表す、３種類の、プロトコル種別、宛先ＩＰアドレス及び宛先ポート番号のエントリをそれぞれ保持する３種類のＩＰパケットを振り分け処理部１０７が振り分けた直後を想定した参照情報５０１の例である。ただし、これらのＩＰパケットは、各ＩＰパケットが保持するエントリに係る経過時間がエントリ保持時間を超える前に、振り分け処理部１０７に到着し、振り分け処理部１０７により振り分けられているものとする。
【０１２６】
なお、情報分配装置１ａが行う、ＷＡＮ側ＩＦ部とＷＡＮ側回線と接続する処理及び受信動作は、図１に表す情報分配装置１ａが行う前述の処理と同様である。
【０１２７】
情報分配装置１ａは、ＷＡＮ側回線３とＷＡＮ側回線４のそれぞれで発生する送信時の遅延時間の違いによる通信への影響が少ない。以下にその理由を説明する。振り分け処理部１０７が、到着したＩＰパケットを送るＷＡＮ側回線を、ＷＡＮ側回線３とＷＡＮ側回線４とで交互に振り分けると、次の場合が生じうる。当該場合は、ＷＡＮ側回線３、４のそれぞれにおいて発生する遅延時間の違いにより、送信先における送信パケットの到着順が当該送信パケットの発送順と異なる入れ替わりが生じる場合である。入れ替わりの発生数や遅延時間の差が一定の範囲内であれば、受信側は到着順を修正することも可能である。しかしながら、入れ替わりの発生数や遅延時間の差が一定の範囲を超えるとパケットの再送が発生し当該再送による更なる通信速度の低下が生じる場合がある。
【０１２８】
これに対し、振り分け処理部１０７は、到着するＩＰパケットについて、参照情報５０１に登録するエントリごとにＷＡＮ側回線を選択する。そして、振り分け処理部１０７により、同じエントリを参照して処理される一連のパケットは同じＷＡＮ側回線で送信される。そのため、情報分配装置１ａを用いた場合は、パケットの入れ替わりが生じる確率が低い。そのため、情報分配装置１ａは、再送による遅延が原因の通信速度の低下を抑えることができる。
【０１２９】
なお、振り分け処理部１０７が行うＩＰパケットの振り分け方法としては、上記以外に下記の二つの方式が想定され得る。一つには、複数のＷＡＮ側回線に送信するトラフィック量（バイト数）を監視し、当該トラフィック量を均一にする方法である。また、二つには、複数のＷＡＮ側回線のそれぞれの負荷や遅延時間を測定し、負荷や遅延の軽いＷＡＮ側回線に優先して送信する方式である。
［効果］
第二実施形態の情報分配装置は、第一実施形態の情報分配装置と同じ構成を備えるので、まず、第一実施形態の情報分配装置と同じ効果を奏する。
【０１３０】
第二実施形態の情報分配装置は、振り分け処理部が到着するＩＰパケットを複数のＷＡＮ側ＩＦ部に対し交互に振り分ける場合より、ＷＡＮ側回線のそれぞれで発生する送信時の遅延時間の違いによる、通信への影響が少ない。その理由は次の通りである。
【０１３１】
振り分け処理部が到着するＩＰパケットを送るＷＡＮ側回線を交互に振り分ける場合は、各ＷＡＮ側回線における遅延時間の違いにより、送信先における送信パケットの到着順が発送順と異なる入れ替わりが生じることが多い。入れ替わりの発生数や遅延時間の差が一定の範囲内であれば、受信側で到着順を修正することも可能であるが、これらが一定の範囲を超えると再送が発生し再送による通信速度の低下が生じる。これに対し、第二実施形態の情報分配装置は、参照情報に登録されたエントリによりＷＡＮ側回線を選択し、同じエントリを参照して処理される一連のパケットは同じＷＡＮ側回線を介して送信する。そのため、第二実施形態の情報分配装置は、パケットの入れ替わりを抑え、従い、再送による通信速度の低下を抑えることができる。
＜第三実施形態＞
第三実施形態は、ＮＡＰＴ（Ｎｅｔｗｏｒｋ  Ａｄｄｒｅｓｓ／Ｐｏｒｔ  Ｔｒａｎｓｌａｔｉｏｎ）変換による処理を適用した情報分配装置に関する実施形態である。
［構成と動作］
図８は、第三実施形態の情報分配装置の例である情報分配装置１ｂの構成を表す概念図である。
【０１３２】
情報分配装置１ｂは、図５に表す情報分配装置１ａの構成に、振り分け処理部１０７とＷＡＮ側ＩＦ部１０６との間に、アドレス変換部１０９を追加したものである。
【０１３３】
情報分配装置１ｂについての説明は、この点及び下記を除いて、図５に表す情報分配装置１ａについての前述の説明と同じである。ただし、情報分配装置１ａについての前述の説明と下記説明とが矛盾する場合は、下記説明を優先する。
【０１３４】
ＷＡＮ側回線接続部１０４は、接続処理時において、ＷＡＮ側ネットワーク５が、ＷＡＮ側回線４及びＷＡＮ側ＩＦ部１０６を介して送る、ＷＡＮ側回線４を通じての通信に用いるアドレスを、ＷＡＮ側回線接続部１０４のアドレスにはしない。そして、ＷＡＮ側回線接続部１０４は、ＷＡＮ側ネットワーク５から送られたアドレスを、アドレス変換部１０９に送る。
【０１３５】
アドレス変換部１０９は、ＷＡＮ側回線接続部１０４から送られたアドレスを、アドレス変換部１０９のアドレスとする。
【０１３６】
そして、アドレス変換部１０９は、接続処理後において、ＣＰＥ２から、振り分け処理部１０７を通じて送られるＩＰパケットの送信元アドレスを、ＣＰＥ２のアドレスからアドレス変換部１０９のアドレスに変換する。
【０１３７】
アドレス変換部１０９は、また、接続処理後において、ＷＡＮ側ネットワーク５から送られる受信パケットの送信先アドレスを、アドレス変換部１０９のアドレスからＣＰＥ２のアドレスに変換する。そして、アドレス変換部１０９は、当該受信パケットを、振り分け処理部１０７、ＣＰＥ側ＩＦ部１０１及びＣＰＥ側回線６を介して、ＣＰＥ２に送る。
【０１３８】
振り分け処理部１０７は、ＣＰＥ側ＩＦ部１０１から送られたＩＰパケットを、参照情報保持部１０８が保持する参照情報により、第二実施形態の説明において述べた方法により、ＷＡＮ側ＩＦ部１０５とアドレス変換部１０９とに振り分ける。
【０１３９】
また、振り分け処理部１０７は、ＷＡＮ側ＩＦ部１０５及びアドレス変換部１０９から送られた受信パケットを、ＣＰＥ側ＩＦ部１０１に送る。
【０１４０】
図９は、ＣＰＥ２が情報分配装置１ｂを介してＷＡＮ側ネットワーク５に対して行うパケット送信の動作を表すイメージ図である。
【０１４１】
振り分け処理部１０７は、到着したＩＰパケット群４０１ａの各パケットをＷＡＮ側ＩＦ部１０５に、到着したＩＰパケット群４０２ａの各パケットをアドレス変換部１０９に、それぞれ振り分ける。
【０１４２】
アドレス変換部１０９は、ＷＡＮ側回線接続部１０４から、ＷＡＮ側回線接続部１０４が図２のＳ２１１ａの処理により取得したＩＰアドレス（第二のＩＰアドレス）を取得し、アドレス変換部１０９のアドレスとしている。そして、アドレス変換部１０９は、到着したＩＰパケット群４０２ａの各パケットに対し、送信元のＩＰアドレスを、ＣＰＥ２のＩＰアドレスから、第二のＩＰアドレスに変換するＮＡＰＴ変換を行う。この際のＮＡＰＴ変換の動作は、一般のアクセスルータにおけるＮＡＰＴ変換の動作と同じである。当該ＮＡＰＴ変換後のＩＰパケットからなるＩＰパケットが、ＩＰパケット群４０２ａｎである。アドレス変換部１０９は、ＩＰパケット群４０２ａｎの各パケットをＷＡＮ側ＩＦ部１０６に送る。
【０１４３】
ＷＡＮ側ＩＦ１０６部は、送られたＩＰパケット群４０２ａｎの各パケットを、送信パケット群４０２ｂｎの各パケットにし、ＷＡＮ側回線４を通じて、ＷＡＮ側ネットワーク５に送信する。
【０１４４】
図１０は、ＣＰＥ２が、ＷＡＮ側ネットワーク５が送るパケットを、情報分配装置１ｂを介して受信する動作を表すイメージ図である。
【０１４５】
ＷＡＮ側ＩＦ部１０６は、ＷＡＮ側回線４を介して到着した被送付パケット群６０１ｂｂの各パケットを、受信パケット群６０１ａｂの各受信パケットにし、アドレス変換部１０９に送る。
【０１４６】
アドレス変換部１０９は、到着した受信パケット群６０１ａｂの各受信パケットに対し、送信先ＩＰアドレスを、アドレス変換部１０９のＩＰアドレス（第二のＩＰアドレス）からＣＰＥ２のＩＰアドレスに変換するＮＡＰＴ変換を行う。この際のＮＡＰＴ変換の動作は、一般のアクセスルータにおけるＮＡＰＴ変換の動作と同じである。そして、アドレス変換部１０９は、ＮＡＰＴ変換後の各受信パケットを振り分け処理部１０７を介して、ＣＰＥ側ＩＦ部１０１に送る。
【０１４７】
ＣＰＥ側ＩＦ部１０１は、送られた受信パケット群６０１ａｎの各パケットを、ＣＰＥ２へ送付用の各パケットである、パケット群６０１ｎの各パケットにする。受信パケット群６０１ａｎの各パケットには、アドレス変換部１０９から振り分け処理部１０７を介して送られたＮＡＰＴ変換後の各受信パケットが含まれる。受信パケット群６０１ａｎの各パケットには、さらに、ＷＡＮ側ＩＦ部１０５から送られたＮＡＰＴ変換を行っていない各受信パケットが含まれる。ＣＰＥ側ＩＦ部１０１は、パケット群６０１ｎの各パケットを、ＣＰＥ側回線６を介して、ＣＰＥ２に送る。
【０１４８】
情報分配装置１ｂがＷＡＮ側ＩＦ部１０５及びＷＡＮ側回線３を通じてＷＡＮ側ネットワーク５に送ったパケットに対するＷＡＮ側ネットワーク５からの応答は、ＷＡＮ側回線３を通じてＷＡＮ側ＩＦ部１０５で受信される。また、情報分配装置１ｂがＷＡＮ側ＩＦ部１０６及びＷＡＮ側回線４を通じてＷＡＮ側ネットワーク５に送ったパケットに対するＷＡＮ側ネットワーク５からの応答パケットは、ＷＡＮ側回線４を通じてＷＡＮ側ＩＦ部１０６で受信される。すなわち、情報分配装置１ｂがＷＡＮ側ネットワーク５に送信した送信パケットへのＷＡＮ側ネットワーク５からの応答パケットは、ＷＡＮ側回線３及びＷＡＮ側回線４に振り分けられる。そのため、情報分配装置１ｂは、ＷＡＮ側回線の情報分配装置１ｂに向かう方向の負荷分散により、ＷＡＮ側回線の情報分配装置１ｂに向かう方向の負荷集中による同方向の遅延の増加を抑えることができる。
【０１４９】
なお、情報分配装置１ｂを用いた場合は、ＮＡＰＴによりパケットの送信元ＩＰアドレスや送信元ポート番号が書き換えられる。そのため、ＩＰパケットのペイロード部分にパケットの送信元ＩＰアドレスや送信元ポート番号が含まれるアプリケーションを使用する場合には、ＡＬＧ（Ａｐｐｌｉｃａｔｉｏｎ  Ｌａｙｅｒ    Ｇａｔｅｗａｙ）という仕組みが必要になる。ＡＬＧは、ＮＡＰＴを使用する通常のアクセスルータなどにおいて広く用いられている仕組みである。
［効果］
第三実施形態の情報分配装置がＷＡＮ側ネットワークに送ったパケットに対するＷＡＮ側ネットワークからの応答パケットは複数のＷＡＮ側回線に振り分けられて当該情報分配装置に送られる。そのため、第三実施形態の情報分配装置は、同情報分配装置に向かう方向の負荷分散により、ＷＡＮ側回線の同情報分配装置に向かう方向の負荷集中による同方向の遅延の増加を抑えることができる。
【０１５０】
なお、ＣＰＥがＷＡＮ側ネットワークに接続した後にＷＡＮ側ネットワークと行う通信において、ＣＰＥ側回線を流れる情報の通信プロトコルはＷＡＮ側回線を流れる情報の通信プロトコルと同じでも構わない。その場合において、ＣＰＥがＷＡＮ側ネットワークに接続した後における、情報分配装置の内部における情報の全部又は一部は、ＣＰＥ側回線とＷＡＮ側回線を流れる情報の通信プロトコルと同じ通信プロトコルによる情報でも構わない。
【０１５１】
図１１は、本発明の情報分配装置の最小限の構成である情報分配装置１ｘを表す概念図である。
【０１５２】
情報分配装置１ｘは、接続情報処理部１０２ｘと接続部１０４ｘと振り分け処理部１０７ｘとを備える。
【０１５３】
接続情報処理部１０２ｘは、図示しない被接続体が図示しない一の通信回線を通じて図示しない広域ネットワークと接続するための処理である第一の接続処理を行う際に、次の処理を行う。すなわち、接続情報処理部１０２ｘは、前記被接続体から送られる第一の通信プロトコルによる第一の情報を第二の通信プロトコルによる第二の情報にして前記広域ネットワークに送る。また、接続情報処理部１０２ｘは、前記広域ネットワークから送られる前記第二の通信プロトコルによる第三の情報を前記第一の通信プロトコルによる第四の情報にして前記被接続体に送る。
【０１５４】
接続部１０４ｘは、前記第一の接続処理の開始以降において、一つ以上の他の通信回線を通じて前記広域ネットワークと接続するための処理である第二の接続処理を行う。
【０１５５】
振り分け処理部１０７ｘは、前記第一の接続処理及び前記第二の接続処理の後に送られる送付情報を、前記一の通信回線及び前記他の通信回線、のうちの二つ以上の通信回線、のそれぞれに振り分ける。
【０１５６】
情報分配装置１ｘは、前記一の通信回線を通じて前記広域ネットワークと接続するための処理である第一の接続処理の開始以降において、一つ以上の他の通信回線を通じて前記広域ネットワークとの接続するための処理である第二の接続処理を行う。そして、情報分配装置１ｘは、前記第一の接続処理及び前記第二の接続処理の後に送られる情報を、前記一の通信回線と前記他の通信回線、のうちの各通信回線、に振り分ける。そのため、情報分配装置１ｘは、前記一の通信回線と前記他の通信回線のそれぞれとを同時に用いて、入力される情報の前記広域ネットワークへの送付を行うことができる。さらに、情報分配装置１ｘは、二つの通信回線に送信情報を振り分けることにより前記通信回線の負荷を分散させ、前記通信回線で発生する遅延時間の増加を抑えることができる。
【０１５７】
以上により、情報分配装置１ｘは、上記構成により、［発明の効果］の項に記載した効果を奏する。
【０１５８】
以上、好ましい実施形態をあげて本発明を説明したが、本発明は必ずしも上記実施形態に限定されるものではなく、その技術的思想の範囲内において様々に変形し実施することができる。
【０１５９】
また、上記の実施形態の一部又は全部は、以下の付記のようにも記述され得るが、以下には限られない。
【０１６０】
（付記１）
被接続体が一の通信回線を通じて広域ネットワークと接続するための処理である第一の接続処理を行う際に、前記被接続体から送られる第一の通信プロトコルによる第一の情報を第二の通信プロトコルによる第二の情報にして前記広域ネットワークに送り、前記広域ネットワークから送られる前記第二の通信プロトコルによる第三の情報を前記第一の通信プロトコルによる第四の情報にして前記被接続体に送る、接続情報処理部と、
前記第一の接続処理の開始以降において、一つ以上の他の通信回線を通じて前記広域ネットワークと接続するための処理である第二の接続処理を行う接続部と、
前記第一の接続処理及び前記第二の接続処理の後に送られる送付情報を、前記一の通信回線及び前記他の通信回線、のうちの二つ以上の通信回線、のそれぞれに振り分ける、振り分け処理部と、
を備える、情報分配装置。
【０１６１】
（付記２）
前記被接続体が、前記第一の接続処理により広域ネットワークと通信を行い得る通信装置である、付記１に記載された情報分配装置。
【０１６２】
（付記３）
前記第一のプロトコルが、前記第一の接続処理の際に、前記通信装置との間で行われる通信のプロトコルである、付記２に記載された情報分配装置。
【０１６３】
（付記４）
前記第一のプロトコルが、前記第一の接続処理の際に、前記広域ネットワークとの間で行われる通信のプロトコルである、付記２又は付記３に記載された情報分配装置。
【０１６４】
（付記５）
前記送付情報が、前記通信装置により送られる情報である、付記２乃至付記４のうちのいずれか一に記載された情報分配装置。
【０１６５】
（付記６）
前記第二の接続処理が、前記通信装置が前記広域ネットワークに送る接続要求情報を受けて行われる、付記２乃至付記５のうちのいずれか一に記載された情報分配装置。
【０１６６】
（付記７）
前記通信装置との間で行われる通信及び前記広域ネットワークとの間で行われる通信とが、パケットによる通信である、付記２乃至付記６のうちのいずれか一に記載された情報分配装置。
【０１６７】
（付記８）
前記二つ以上の通信回線のうちの少なくとも一の通信回線が、無線による通信回線を含む通信回線である、付記１乃至付記７のうちのいずれか一に記載された情報分配装置。
【０１６８】
（付記９）
前記送付情報が複数のパケットである、付記１乃至付記８のうちのいずれか一に記載された情報分配装置。
【０１６９】
（付記１０）
前記振り分け処理部が、前記パケットを、前記一の通信回線と前記他の通信回線とに、略均等に振り分ける、付記１乃至付記９のうちのいずれか一に記載された情報分配装置。に記載された情報分配装置。
【０１７０】
（付記１１）
前記振り分け処理部が、前記パケットを、前記一の通信回線と前記他の通信回線とに、交互に振り分ける、付記５又は付記６に記載された情報分配装置。
【０１７１】
（付記１２）
前記振り分け処理部が、前記パケットを、参照情報により振り分ける、付記９乃至付記１１のうちのいずれか一に記載された情報分配装置。
【０１７２】
（付記１３）
前記参照情報が、前記パケットの宛先に関する情報を含む、付記１２に記載された情報分配装置。
【０１７３】
（付記１４）
前記宛先に関する情報が宛先のインターネットプロトコルアドレスを含む、付記１３に記載された情報分配装置。
【０１７４】
（付記１５）
前記宛先に関する情報が宛先のポート番号を含む、付記１３又は付記１４に記載された情報分配装置。
【０１７５】
（付記１６）
前記参照情報が、前記パケットのインターネットプロトコルの上位のプロトコルの種別に関する情報を含む、付記１２乃至付記１５のうちのいずれか一に記載された情報分配装置。
【０１７６】
（付記１７）
前記種別がＴＣＰかＵＤＰかの別を含む、付記１６に記載された情報分配装置。
【０１７７】
（付記１８）
前記通信装置は前記第一の接続処理により第一のアドレスを取得し、前記接続部は前記第二の接続処理により前記情報分配装置についての第二のアドレスを取得する、付記２乃至付記１７のうちのいずれか一に記載された情報分配装置。
【０１７８】
（付記１９）
前記第一のアドレス及び第二のアドレスが、インターネットプロトコルアドレスである、付記１８に記載された情報分配装置。
【０１７９】
（付記２０）
前記振り分け処理部が前記他の通信回線のうちの一つに振り分けた前記パケットに対し、送信元のアドレスを、前記第一のアドレスから前記第二のアドレスに変換する処理を行うアドレス変換部をさらに備える、付記１乃至付記１９のうちのいずれか一に記載された情報分配装置。
【０１８０】
（付記２１）
前記第二のアドレスに変換する処理がＮｅｔｗｏｒｋ  Ａｄｄｒｅｓｓ／Ｐｏｒｔ  Ｔｒａｎｓｌａｔｉｏｎ変換による処理である、付記２０に記載された情報分配装置。
【０１８１】
（付記２２）
前記アドレス変換部が、前記他の通信回線のうちの前記一つを通じて到着したパケットの送付先のアドレスを、前記第二のアドレスから前記第一のアドレスに変換する処理を行う、付記２０又は付記２１に記載された情報分配装置。
【０１８２】
（付記２３）
前記第一のアドレスに変換する処理がＮｅｔｗｏｒｋ  Ａｄｄｒｅｓｓ／Ｐｏｒｔ  Ｔｒａｎｓｌａｔｉｏｎ変換による処理である、付記２２に記載された情報分配装置。
【０１８３】
（付記Ａ１）
被接続体が一の通信回線を通じて広域ネットワークと接続するための処理である第一の接続処理を行う際に、前記被接続体から送られる第一の通信プロトコルによる第一の情報を第二の通信プロトコルによる第二の情報にして前記広域ネットワークに送り、前記広域ネットワークから送られる前記第二の通信プロトコルによる第三の情報を前記第一の通信プロトコルによる第四の情報にして前記被接続体に送り、
前記第一の接続処理の開始以降において、一つ以上の他の通信回線を通じて前記広域ネットワークと接続するための処理である第二の接続処理を行い、
前記第一の接続処理及び前記第二の接続処理の後に送られる送付情報を、前記一の通信回線及び前記他の通信回線、のうちの二つ以上の通信回線、のそれぞれに振り分ける、
情報分配方法。
【０１８４】
（付記Ｂ１）
被接続体が一の通信回線を通じて広域ネットワークと接続するための処理である第一の接続処理を行う際に、前記被接続体から送られる第一の通信プロトコルによる第一の情報を第二の通信プロトコルによる第二の情報にして前記広域ネットワークに送り、前記広域ネットワークから送られる前記第二の通信プロトコルによる第三の情報を前記第一の通信プロトコルによる第四の情報にして前記被接続体に送る、処理と、
前記第一の接続処理の開始以降において、一つ以上の他の通信回線を通じて前記広域ネットワークと接続するための処理である第二の接続処理を行う、処理と、
前記第一の接続処理及び前記第二の接続処理の後に送られる送付情報を、前記一の通信回線及び前記他の通信回線、のうちの二つ以上の通信回線、のそれぞれに振り分ける、処理と、
をコンピュータに実行させる情報分配プログラム。
【符号の説明】
【０１８５】
１、１ａ、１ｂ、１ｘ    情報分配装置
２    ＣＰＥ
３、４    ＷＡＮ側回線
５    ＷＡＮ側ネットワーク
６    ＣＰＥ側回線
１０１    ＣＰＥ側ＩＦ部
１０２、１０２ｘ    接続情報処理部
１０４    ＷＡＮ側回線接続部
１０４ｘ    接続部
１０５    ＷＡＮ側ＩＦ部
１０６    ＷＡＮ側ＩＦ部
１０７、１０７ｘ    振り分け処理部
１０８    参照情報保持部
１０９    アドレス変換部
３０１、４０１、４０２、６０１、６０１ｎ    パケット群
３０１ａ、３０１ａａ、３０１ａｂ、４０１ａ、４０２ａ、４０２ａｎ    ＩＰパケット群
３０１ｂａ、３０１ｂｂ、４０１ｂ、４０２ｂ、４０２ｂｎ    送信パケット群
５０１    参照情報
６０１ｂａ、６０１ｂｂ    被送付パケット群
６０１ａａ、６０１ａｂ、６０１ａｂｎ、６０１ａｎ、６０１ａ、６０１ｂａ、６０１ｂｂ    受信パケット群
【図１】
2017200105.tif 000003
【図２】
2017200105.tif 000004
【図３】
2017200105.tif 000005
【図４】
2017200105.tif 000006
【図５】
2017200105.tif 000007
【図６】
2017200105.tif 000008
【図７】
2017200105.tif 000009
【図８】
2017200105.tif 000010
【図９】
2017200105.tif 000011
【図１０】
2017200105.tif 000012
【図１１】
2017200105.tif 000013